(57)【要約】【課題】  本発明は、従来よりも簡易な構成で互いに異なる２つのプリセット位置を記憶することが可能な光学機器を提供することを目的とする。【解決手段】  レンズ装置１００が備える操作手段１１０に対して第１あるいは第２の操作が行われた場合に、メモリ１１１は、第１あるいは第２の操作が行われたときに操作検出手段１１４によって検出されるフォーカスレンズユニットＦＬＵの第１あるいは第２の状態を記憶することが可能である。そして、メモリ１１１が第１あるいは第２の状態を記憶した後であって操作手段１１０に対して第１あるいは第２の操作が行われた場合に、フォーカス駆動手段１０２は、フォーカスレンズユニットＦＬＵの状態を第１あるいは第２の状態とすることが可能である。【選択図】  図４
2020003583.tif 000002
【特許請求の範囲】
【請求項１】
光学素子と、
前記光学素子の状態を調整するための調整手段と、
前記調整手段によって調整された前記光学素子の状態を検出するための検出手段と、
前記検出手段によって検出された前記光学素子の状態を記憶するための記憶手段と、
操作手段と、を備える光学機器であって、
前記光学機器が、前記記憶手段が前記光学素子の状態を記憶する記憶モードになっており、
前記操作手段に対して第１の操作が行われた場合に、前記記憶手段は、前記第１の操作が行われたときに前記検出手段によって検出される前記光学素子の第１の状態を記憶することが可能であり、
前記操作手段に対して前記第１の操作とは異なる第２の操作が行われた場合に、前記記憶手段は、前記第２の操作が行われたときに前記検出手段によって検出される前記光学素子の第２の状態を記憶することが可能であり、
前記記憶手段が前記第１の状態を記憶した後であって前記操作手段に対して前記第１の操作が行われた場合に、前記調整手段は、前記光学素子の状態を前記第１の状態とすることが可能であり、
前記記憶手段が前記第２の状態を記憶した後であって前記操作手段に対して前記第２の操作が行われた場合に、前記調整手段は、前記光学素子の状態を前記第２の状態とすることが可能である、
ことを特徴とする光学機器。
【請求項２】
前記記憶モードには、前記記憶手段が、前記光学素子の状態を１つのみ記憶する第１の記憶モードと、前記記憶手段が、前記光学素子の前記第１の状態及び前記第２の状態を記憶する第２の記憶モードがあり、
前記光学機器は、前記第１の記憶モードから前記第２の記憶モードのうちいずれかを選択するための選択手段をさらに備え、
前記選択手段によって前記第２の記憶モードが選択された場合であって、
前記操作手段に対して前記第１の操作が行われた場合に、前記記憶手段は、前記第１の操作が行われたときに前記検出手段によって検出される前記第１の状態を記憶することが可能であり、
前記操作手段に対して前記第２の操作が行われた場合に、前記記憶手段は、前記第２の操作が行われたときに前記検出手段によって検出される前記第２の状態を記憶することが可能であり、
前記記憶手段が前記第１の状態を記憶した後であって前記操作手段に対して前記第１の操作が行われた場合に、前記調整手段は、前記光学素子の状態を前記第１の状態とすることが可能であり、
前記記憶手段が前記第２の状態を記憶した後であって前記操作手段に対して前記第２の操作が行われた場合に、前記調整手段は、前記光学素子の状態を前記第２の状態とすることが可能である、
ことを特徴とする請求項１に記載の光学機器。
【請求項３】
前記選択手段は、操作力が与えられるとオン状態となり、前記操作力が解除されるとオフ状態となるスイッチである、
ことを特徴とする請求項２に記載の光学機器。
【請求項４】
前記オン状態になっている時間が所定の時間以上である場合に、前記光学機器は前記第１の記憶モード及び前記第２の記憶モードの一方から他方になる、
ことを特徴とする請求項３に記載の光学機器。
【請求項５】
前記操作手段は前記第１の操作あるいは前記第２の操作が完了すると、前記第１の操作あるいは前記第２の操作が行われる前の中立状態となることが可能である、
ことを特徴とする請求項１乃至４のいずれか一項に記載の光学機器。
【請求項６】
前記操作手段が操作される方向、時間、量、速度のうち少なくとも一つを検出するための操作検出手段をさらに備え、
前記第１の操作と前記第２の操作は、前記操作される方向、時間、量、速度のうち少なくとも一つが互いに異なる、
ことを特徴とする請求項１乃至５のいずれか一項に記載の光学機器。
【請求項７】
前記操作検出手段は、前記操作される方向、時間、量、速度のうち第１の操作パラメータ及び第２の操作パラメータを検出することが可能であり、
前記記憶手段は、前記操作検出手段が検出する前記第１の操作パラメータ及び前記第２の操作パラメータを基に前記光学素子の３つ以上の状態を記憶することが可能である、
ことを特徴とする請求項６に記載の光学機器。
【請求項８】
前記操作手段は、回転軸周りに互いに異なる第１の方向及び第２の方向に回転することが可能である、
ことを特徴とする請求項１乃至７のいずれか一項に記載の光学機器。
【請求項９】
前記光学素子を含む撮影光学系をさらに備え、
前記回転軸は前記撮影光学系の光軸であり、
前記操作手段は、前記光学機器の外装部材にして前記光軸周りに回転可能な操作リングである、
ことを特徴とする請求項８に記載の光学機器。
【請求項１０】
前記光学素子はフォーカシングのために移動するフォーカスレンズユニットであり、
前記光学素子の状態は前記フォーカスレンズユニットの位置である、
ことを特徴とする請求項１乃至９のいずれか一項に記載の光学機器。
【請求項１１】
前記光学素子はズーミングのために移動するズームレンズユニットであり、
前記光学素子の状態は前記ズームレンズユニットの位置である、
ことを特徴とする請求項１乃至９のいずれか一項に記載の光学機器。
【請求項１２】
前記光学素子は光量調整のための絞りユニットであり、
前記光学素子の状態は前記絞りユニットの開口径および位置のうち少なくとも一方である、
ことを特徴とする請求項１乃至９のいずれか一項に記載の光学機器。
【請求項１３】
前記光学機器は、撮像素子を備えるカメラ本体に対して着脱可能なレンズ装置である、
ことを特徴とする請求項１乃至１２のいずれか一項に記載の光学機器。
【請求項１４】
前記光学機器は、撮像素子を備えるカメラ本体と、前記カメラ本体に装着されたレンズ装置とを備えるカメラシステムである、
ことを特徴とする請求項１乃至１３のいずれか一項に記載の光学機器。
【請求項１５】
前記光学素子は前記撮像素子であり、
前記光学素子の状態はＩＳＯ感度である、
ことを特徴とする請求項１４に記載の光学機器。
【発明の詳細な説明】
【技術分野】
【０００１】
本発明は、光学素子を備える光学機器に関する。
【背景技術】
【０００２】
プリセット機能を備えるレンズ装置（光学機器）として、特許文献１に記載のレンズ装置が知られている。プリセット機能とは次の機能のことをいう。すなわち、ズームレンズユニットあるいはフォーカスレンズユニットの現在の位置をプリセット位置として記憶する。そして、ユーザーが操作リングを操作することでズームレンズユニットあるいはフォーカスレンズユニットが上記のプリセット位置に移動する機能である。
【０００３】
特許文献１に記載のレンズ装置は、プリセット位置記憶用の操作リングを２つ設けることで、互いに異なる２つのプリセット位置を記憶することができる。
【先行技術文献】
【特許文献】
【０００４】
【特許文献１】特開２００１−４２１９７号公報
【発明の概要】
【発明が解決しようとする課題】
【０００５】
しかしながら、特許文献１に記載のレンズ装置では、互いに異なる２つのプリセット位置を記憶するために２つのプリセット位置記憶用の操作リングをレンズ装置に設ける必要があり、レンズ装置の構造が複雑になってしまう。
【０００６】
そこで本発明は、従来よりも簡易な構成で互いに異なる２つのプリセット位置を記憶することが可能な光学機器を提供することを目的とする。
【課題を解決するための手段】
【０００７】
上記目的を達成するために、本発明の光学機器は、
光学素子と、
前記光学素子の状態を調整するための調整手段と、
前記調整手段によって調整された前記光学素子の状態を検出するための検出手段と、
前記検出手段によって検出された前記光学素子の状態を記憶するための記憶手段と、
操作手段と、を備える光学機器であって、
前記光学機器が、前記記憶手段が前記光学素子の状態を記憶する記憶モードになっており、
前記操作手段に対して第１の操作が行われた場合に、前記記憶手段は、前記第１の操作が行われたときに前記検出手段によって検出される前記光学素子の第１の状態を記憶することが可能であり、
前記操作手段に対して前記第１の操作とは異なる第２の操作が行われた場合に、前記記憶手段は、前記第２の操作が行われたときに前記検出手段によって検出される前記光学素子の第２の状態を記憶することが可能であり、
前記記憶手段が前記第１の状態を記憶した後であって前記操作手段に対して前記第１の操作が行われた場合に、前記調整手段は、前記光学素子の状態を前記第１の状態とすることが可能であり、
前記記憶手段が前記第２の状態を記憶した後であって前記操作手段に対して前記第２の操作が行われた場合に、前記調整手段は、前記光学素子の状態を前記第２の状態とすることが可能である、
ことを特徴とする。
【発明の効果】
【０００８】
本発明によれば、従来よりも簡易な構成で互いに異なる２つのプリセット位置を記憶することが可能な光学機器を提供することができる。
【図面の簡単な説明】
【０００９】
【図１】各実施例のカメラシステムのシステム図。
【図２】各実施例の単一記憶モードの動作を示すフローチャート。
【図３】第１実施例の複数記憶モードの動作を示すフローチャート。
【図４】第２実施例の複数記憶モードの動作を示すフローチャート。
【図５】各実施例のレンズ装置の外観図。
【発明を実施するための形態】
【００１０】
以下、本発明の実施例について図面を参照しながら説明する。
【００１１】
［第１実施例］
（カメラシステムの構成）
図１を用いて本実施例におけるカメラシステムの構成について説明する。ここでいうカメラシステムとは後述のレンズ装置１００及びカメラ本体２００の総称である。本実施例及び後述の第２実施例において、レンズ装置１００を光学機器としても良いし、カメラシステムを光学機器としても良い。また、レンズ装置１００を交換レンズ、アクセサリ、カメラアクセサリとしてもよい。
【００１２】
（カメラ本体２００の構成）
カメラ本体２００は、電源スイッチ（ＳＷ）手段２０１、レリーズＳＷ手段２０２、測光手段２０３、測距手段２０４、露光手段２０５、撮像素子２０６を備える。カメラ本体２００は更に信号処理部２０７、画像記録部２０８、カメラマイコン２１０、レンズ装置１００との通信手段２５０を備える。カメラ本体２００は図１には不図示の複数のバヨネット爪部を有するカメラ側マウント部を備え、このカメラ側マウント部に後述のレンズ側マウント部が結合することで、レンズ装置１００はカメラ本体２００に対して取り外し可能に装着されている。つまり、レンズ装置１００はカメラ本体２００に対して着脱可能な交換レンズである。
【００１３】
（レンズ装置１００の構成）
レンズ装置１００は、撮影光学系１０１、フォーカス駆動手段１０２、ズーム駆動手段１０３、絞りユニット（光量調整手段）１０４、フォーカス位置検出手段１０５、ズーム位置検出手段１０６、レンズマイコン１１２、メモリ１１１を備える。レンズ装置１００は更にカメラ本体２００との通信手段１５０、絞りユニット１０４の状態を検出する絞りユニット検出手段１１３、絞りユニット１０４を駆動するための絞り駆動手段６００を有する。
【００１４】
撮影光学系１０１は、ズーミング（変倍）のために光軸方向に移動するズームレンズユニット（ズーム光学系）ＺＬＵ、フォーカシング（焦点調整、合焦）のために光軸方向に移動するフォーカスレンズユニット（フォーカス光学系）ＦＬＵを備える。なお、絞りユニット１０４も撮影光学系１０１に含まれると考えても良い。撮影光学系１０１は被写体の光学像を撮像素子２０６上に形成することができる。ここでいう光軸とは撮影光学系１０１の光軸である。つまり、ここでいう光軸方向とは撮影光学系１０１の光軸と平行な方向である。
【００１５】
なお、ここでいうレンズユニットとは１枚のレンズも複数のレンズの集合も含む言葉である。本実施例及び後述の第２実施例において、撮影光学系１０１はズームレンズユニットＺＬＵを備えているが、撮影光学系１０１の構成はズームレンズユニットＺＬＵを備えない構成であってもよい。つまり、ズームレンズではなく単焦点のレンズ装置において本実施例及び後述の第２実施例で説明するプリセット機能を適用してもよい。
【００１６】
フォーカス駆動手段１０２及びズーム駆動手段１０３は、フォーカスレンズユニットＦＬＵやズームレンズユニットＺＬＵを光軸方向に移動するための超音波モータ、ＤＣモータ、ステッピングモータなどの駆動源を備える。そして、レンズマイコン１１２によって駆動制御される。言い換えれば、フォーカス駆動手段１０２は、フォーカスレンズユニットＦＬＵを光学素子とするとき、この光学素子の状態、より詳細には光学素子の位置を調整するための調整手段である。なお、フォーカス駆動手段１０２及びズーム駆動手段１０３は互いに異なる構成であってもよい。
【００１７】
フォーカス位置検出手段１０５は、フォーカスレンズユニットＦＬＵの光軸上の位置を検出し、エンコーダや磁気センサなどを備える。例えば、フォーカス駆動手段１０２の出力キーを光軸周りに回転可能に構成し、出力キーの回転と同時にエンコーダから回転量に応じて発生されるパルスとグレーコードパターン上をブラシが走行することでフォーカスレンズ１５２の位置を検出することができる。
【００１８】
なお、ズーム位置検出手段１０６はフォーカス位置検出手段１０５と同様の構成であるが、フォーカス位置検出手段１０５及びズーム位置検出手段１０６は互いに異なる構成であってもよい。
【００１９】
レンズマイコン１１２は、カメラマイコン（カメラ側制御部、カメラ側通信部）２１０と電気的に接続され、撮影動作に必要な情報の交換を行うレンズ側制御部（レンズ側通信部）である。レンズマイコン１１２はマイクロコンピュータ（ＣＰＵ、プロセッサ）から構成されている。レンズマイコン１１２とカメラマイコン２１０は双方向データ通信を行うことが可能である。
【００２０】
メモリ（記憶手段）１１１は、フォーカスプリセット情報、後述する制御方法に必要な情報やそのプログラム、その他の各種の情報を保持する。フォーカスプリセットに必要な情報は、プリセット位置までフォーカスレンズユニットＦＬＵを移動する速度などを含む。
【００２１】
レンズ装置１００は更に、操作系として、記憶指示モードから記憶モードへの遷移を指示するための遷移スイッチ１０７、複数の記憶モードの中から１つの記憶モードを選択するための記憶モード選択スイッチ１０８を備える。レンズ装置１００は更に、記憶モード選択スイッチ１０８の状態を検出する検出手段（スイッチ検出手段）１０９と、検出手段１０９の状態に応じてどの記憶モードが選択されているかをユーザーに通知するための状態通知手段１１５を備える。状態通知手段１１５は、例えば、音を鳴らすブザー、点滅及び点灯可能なＬＥＤ、表示パネルなどである。ブザーが鳴らす音のメロディ、リズム、音量、ＬＥＤの点滅パターン、色、表示パネル上に表示される文字や図面などでユーザーに現在選択されている記憶モードを通知することができる。
【００２２】
レンズ装置１００は更に、操作系として、操作手段１１０と操作手段１１０の操作量と操作方向を検出する操作検出手段１１４とを備える。操作手段１１０は、記憶モード選択スイッチ１０８によって記憶された位置にフォーカスレンズを復帰動作させる命令を出す駆動命令手段でもある。なお、操作手段１１０はレンズ装置１００に設けられていてもよいし、カメラ本体２００に設けられてもよい。操作検出手段１１４は、操作手段１１０が操作されたこと、および、その場合の操作量と操作方向を検出する。
【００２３】
前述のように、記憶モード選択スイッチ１０８は、複数の記憶モードの中から１つの記憶モードを選択するためのものである。ここでいう複数の記憶モードとは、フォーカスプリセット情報（フォーカスプリセット位置）を１つ記憶する記憶モード（単一記憶モード）と、複数のフォーカスプリセット情報を記憶する記憶モード（複数記憶モード）のことである。
【００２４】
また、ユーザーが記憶モード選択スイッチ１０８を所定時間以内に１回オン状態にすることで、フォーカス位置検出手段１０５で検出された現在のフォーカス位置、つまり、フォーカスプリセット情報がメモリ１１１に記憶される。このように、記憶モード選択スイッチ１０８は、単一記憶モードと複数記憶モードの選択（切替）を行う機能に加えて、現在のフォーカス位置をメモリ１１１に記憶する機能も備えている。
【００２５】
記憶モード選択スイッチ１０８は、自動復帰する機械的スイッチであり、操作力を与えている間のみオン状態になり、操作力を解除するとオフ状態になるものである。そして、ユーザーが記憶モード選択スイッチ１０８を所定時間以上長押しすることで、単一記憶モードから複数記憶モードへ、あるいは、複数記憶モードから単一記憶モードへ記憶モードが遷移する。
【００２６】
なお、前述のフォーカス位置は、例えば、ある被写体距離に対して合焦するフォーカスレンズユニットＦＬＵの位置である。そして、このフォーカス位置（フォーカスプリセット情報）をメモリ１１１に記憶させる。その後、記憶させた位置とは異なる位置にフォーカスレンズユニットＦＬＵを移動させた場合でも、復帰操作によりメモリ１１１に記憶された位置にフォーカスレンズユニットＦＬＵを復帰させることができる。以上がフォーカスプリセット機能である。
【００２７】
（レンズ装置１００の外観）
図５は、レンズ装置１００の外観を示すものである。記憶モード選択スイッチ１０８はレンズ装置１００の外装部に設けられたスイッチパネル７００内に配置されている。レンズ装置１００の外装部には記憶モード選択スイッチ１０８以外に前述の遷移スイッチ１０７も配置されている。
【００２８】
三脚座リング１１６は、三脚を使用した際の撮影時にレンズ装置１００を三脚座に固定したまま縦位置での撮影を可能にすべく、レンズ装置１００を光軸周りに回転可能なリングである。
【００２９】
操作手段１１０は、レンズ装置１００の外装部に撮影光学系１０１の光軸周りに回転可能なリング部材として配置される。操作手段１１０の表面には回転操作が行いやすいように滑り止めのためのローレットパターンが設けられている。また、操作手段１１０は、光軸周りに所定の回転量だけ回転が可能なように、回転操作の回転方向毎に移動端が設けられている。
【００３０】
そして、操作手段１１０は、操作力を与えない場合には、常に回転可動範囲の中心位置である中立位置に自動復帰するように構成されている。
【００３１】
操作手段１１０を中立位置から一方の回転方向に回転させた際、中立位置から、移動端よりも中立位置に近い第１の所定位置までの間で操作手段１１０の操作が完了したとする。このときの操作を第１の操作とする。この場合には、操作検出手段１１４は、操作手段１１０が第１の状態（第１の操作状態）であることを知らせる信号をレンズマイコン１１２へ出力する。そして、操作手段１１０を中立位置から一方の回転方向に回転させた際、前述の第１の所定位置から移動端までの間（移動端も含む）で操作手段１１０の操作が完了したとする。このときの操作を第２の操作とする。この場合には、操作検出手段１１４は、操作手段１１０が第２の状態（第２の操作状態）であることを知らせる信号をレンズマイコン１１２へ出力する。例えば、操作手段１１０が中立位置から一方の回転方向へ６０度回転可能である場合には、中立位置から一方の回転方向へ３０度の位置を第１の所定位置としてもよい。あるいは、例えば、操作手段１１０が中立位置から一方の回転方向へ１０度回転可能である場合には、中立位置から一方の回転方向へ５度の位置を第１の所定位置としてもよい。
【００３２】
同様に、操作手段１１０を中立位置から他方の回転方向に回転させた際、中立位置から、移動端よりも中立位置に近い第２の所定位置までの間で操作手段１１０の操作が完了したとする。このときの操作を第３の操作とする。この場合には、操作検出手段１１４は、操作手段１１０が第３の状態（第３の操作状態）であることを知らせる信号をレンズマイコン１１２へ出力する。そして、操作手段１１０を中立位置から他方の回転方向に回転させた際、前述の第２の所定位置から移動端までの間（移動端も含む）で操作手段１１０の操作が完了したとする。このときの操作を第４の操作とする。この場合には、操作検出手段１１４は、操作手段１１０が第４の状態（第４の操作状態）であることを知らせる信号をレンズマイコン１１２へ出力する。例えば、操作手段１１０が中立位置から他方の回転方向へ６０度回転可能である場合には、中立位置から他方の回転方向へ３０度の位置を第２の所定位置としてもよい。あるいは、例えば、操作手段１１０が中立位置から他方の回転方向へ１０度回転可能である場合には、中立位置から他方の回転方向へ５度の位置を第２の所定位置としてもよい。
【００３３】
したがって、操作検出手段１１４は、操作手段１１０の状態として、中立位置に位置する状態（中立状態）を含めて合計五つの状態を検出することが可能である。
【００３４】
（フォーカスプリセット機能のフローチャート）
次に、図２及び図３に示すフローチャートを用いて本実施例におけるフォーカスプリセット機能に関するレンズ装置１００の制御方法を説明する。図２及び図３は、本実施例のフォーカスプリセット機能に関する制御方法を説明するためのフローチャートである。
【００３５】
より詳細には、図２は単一記憶モードにおけるフォーカスプリセット機能に関する制御方法を説明するためのフローチャートであり、図３は複数記憶モードにおけるフォーカスプリセット機能に関する制御方法を説明するためのフローチャートである。
【００３６】
図２及び図３に示す制御方法はコンピュータによって実行可能なプログラムとして具現化され、レンズマイコン１１２によって実行される。なお、レンズ装置１００がカメラ本体２００に一体化された撮像装置（コンパクトデジタルカメラ）においては、図２及び図３に示す動作をカメラマイコン２１０が行っても良い。また、コンパクトデジタルカメラにおいては記憶モード選択スイッチ１０８とメモリ１１１がカメラ本体２００側に配置されていてもよい。
【００３７】
（単一記憶モードにおける制御）
まず、図２に示すフローチャートを用いて単一記憶モードにおけるフォーカスプリセット機能の制御について説明する。図２に示すフローチャートはカメラ２００とレンズ装置１００が電気的に接続されカメラ本体２００の電源ＳＷ手段２０１がオンされた初期状態からの制御を示す。
【００３８】
ユーザーがカメラ本体２００の電源ＳＷ手段２０１をＯＮにし、カメラ本体２００からレンズ装置１００へ電力が供給されると、レンズマイコン１１２は、記憶モードを単一記憶モードとする（＃３０１）。そして、メモリ１１１に含まれる第１メモリ１１１−１には、無限遠にピントが合うフォーカス位置が記憶される（＃３０２）。なお、＃３０２の工程を行わなくてもよい。つまり、第１メモリ１１１−１に予め無限遠にピントが合うフォーカス位置を記憶しておいてもよい。
【００３９】
次に、フォーカス位置検出手段１０５により、現在のフォーカスレンズユニットＦＬＵの光軸方向の位置であるフォーカス位置を検出する（＃３０３）。
【００４０】
次に、レンズマイコン１１２は、操作検出手段１１４により、操作手段１１０の操作状態を検出する（＃３０４）。操作検出手段１１４は、操作手段１１０が操作されて所定時間経過後に操作方向とその操作量の情報を取得することができる。操作検出手段１１４により、操作手段１１０の状態が、前述した第１、第２、第３、第４のいずれかの状態であると検出されれば、第１メモリ１１１−１に記憶されたフォーカス位置にフォーカスレンズユニットＦＬＵを移動させる（＃３０５）。このときのフォーカスレンズユニットＦＬＵは、第１、第２、第３、第４のいずれか状態においてもフォーカス駆動手段１０２で駆動可能な最高速度で移動する。あるいは、第１と第３の状態であれば、予め設定された低速側の駆動速度（第１の駆動速度）で移動する。そして、第２と第４の状態であれば、予め設定された高速側の駆動速度（第１の駆動速度よりも速い第２の駆動速度）で移動するようにしてもよい。
【００４１】
次に、操作検出手段１１４により、操作手段１１０が中立状態であると検出された場合、レンズマイコン１１２は、検出手段１０９により、記憶モード選択スイッチ１０８の状態を検出する（＃３０６）。検出手段１０９により、記憶モード選択スイッチ１０８が予め設定された長時間（例えば１．５秒以上）操作されたことが検出されると、現在の単一記憶モードから複数のプリセット位置が記憶、復帰可能な複数記憶モードに遷移する（＃３０７）。この時に、状態通知手段１１５であるブザーの音を例えば２回鳴らす、あるいは状態通知手段１１５であるＬＥＤを点滅させる。
【００４２】
検出手段１０９により、記憶モード選択スイッチ１０８が予め設定された短い時間（例えば１．５秒より短い時間）操作されたことが検出されると、第１メモリ１１１−１に＃３０３で検出したフォーカスレンズユニットＦＬＵの現在位置を記憶する（＃３０８）。つまり、＃３０８では＃３０２で記憶したフォーカスレンズユニットＦＬＵの位置を上書きする。
【００４３】
＃３０８の後は＃３０３に戻り、再びフォーカスレンズユニットＦＬＵの位置を検出する。そして、操作手段１１０が中立状態以外であると検出された場合、言い換えれば、操作手段１１０に対して何らかの操作が行われた場合には、＃３０８で記憶された位置にフォーカスレンズユニットＦＬＵが移動する。このようにユーザーにとって任意の位置にフォーカスプリセットを行うことができる。
【００４４】
（複数記憶モードにおける制御）
次に複数記憶モードについて図３に示すフローチャートを用いて説明する。前述のように、検出手段１０９が所定時間以上ＯＮになっていると判断された場合には、単一記憶モードから複数記憶モードに遷移する（♯３０７）。図３に示すフローチャートはレンズ装置１００が複数記憶モードに移行した後の制御について示している。カメラ本体２００とレンズ装置１００が電気的に接続されカメラ本体２００の電源ＳＷ手段２０１がオンされた状態ではまず単一記憶モードになる。そして、単一記憶モードにおいては、メモリ１１１に含まれる第１メモリ１１１−１には、無限遠にピントが合うフォーカス位置が記憶される（＃３０２）。さらに、メモリ１１１に含まれる第２メモリ１１１−２には無限遠にピントが合うフォーカス位置が予め記憶され、メモリ１１１に含まれる第３メモリ１１１−３には至近にピントが合うフォーカス位置が予め記憶されている。なお、メモリ１１１−２及びメモリ１１１−３にはまずはフォーカス位置を記憶せず、複数記憶モードになったことが検出されたら、メモリ１１１−２及び１１１−３に上記の情報を記憶する構成を採用してもよい。また、メモリ１１１−２と１１１−３とで同じフォーカス位置が予め記憶されている構成を採用してもよい。
【００４５】
複数記憶モードに遷移すると、フォーカスレンズユニットＦＬＵの位置検出を行う（＃４０２）。次に不図示のタイマーにより所定時間（例えば２秒）が計測したかどうかを判定する（＃４０３）。次に所定時間が経過する前に操作手段１１０が操作され、操作検出手段１１４の検出結果に変化があったかどうかを判断する（＃４０４）。所定時間経過しても、操作検出手段１１４の検出結果に変化がなかった場合、言い換えれば、所定時間内に操作手段１１０が操作されなかった場合には、複数記憶モードを解除し、図２に示すフローチャート中の「１」（＃３０９）に戻る（＃４１４）。
【００４６】
操作検出手段１１４により、操作手段１１０が第１の状態あるいは第２の状態であることを検出すると、メモリ１１１−２に現在のフォーカスレンズユニットＦＬＵの位置を記憶する（＃４０５）。操作検出手段１１４により、操作手段１１０が第３の状態あるいは第４の状態であることを検出すると、メモリ１１１−３に現在のフォーカスレンズユニットＦＬＵの位置を記憶する（＃４０６）。なお、＃４０４にて操作手段１１０が中立状態であることが検出された場合、より詳細には、所定時間経過する前に操作手段１１０が操作されていないことが検出された場合には、＃４０２に戻る。
【００４７】
メモリ１１１−２、１１１−３のいずれかにフォーカスレンズユニットＦＬＵの位置が記憶されると、状態通知手段１１５であるブザーの音を鳴らすあるいは状態通知手段１１５であるＬＥＤの点滅状態を解除する。そして、一旦タイマーによる計時を終了し、記憶の待機状態を解除する（＃４１５）。
【００４８】
次に、操作検出手段１１４の検出結果、つまり、操作手段１１０の状態を確認する（＃４０７）。そして、操作リング１１０が操作されて第１の状態あるいは第２の状態であることが検出されると、メモリ１１１−２に記憶したフォーカスレンズユニットＦＬＵの位置にフォーカスを移動させる（＃４０８）。操作リング１１０が操作されて第３の状態あるいは第４の状態であることが検出されると、メモリ１１１−３に記憶したフォーカスレンズユニットＦＬＵの位置にフォーカスを移動させる（＃４０９）。
【００４９】
このときの駆動速度は、第１、第２、第３、第４のいずれの状態においてもフォーカス駆動手段１０２で駆動可能な最高速度である。あるいは、例えば、第１と第３の状態であれば、予め設定された低速側の駆動速度（第１の駆動速度）でフォーカスレンズユニットＦＬＵが移動するようにしてもよい。そして、第２と第４の状態であれば、予め設定された高速側の駆動速度（第１の駆動速度よりも速い第２の駆動速度。）でフォーカスレンズユニットＦＬＵが移動するようにしてもよい。
【００５０】
＃４０７にて、操作検出手段１１４の検出結果を確認した結果、中立状態を示す信号が出力されたままの場合は、操作手段１１０の操作が行われていないことを示す。その場合は、フォーカスレンズユニットＦＬＵの位置検出を行い（＃４１０）、検出手段１０９の状態を確認する（＃４１１）。＃４１１にて検出手段１０９が、記憶モード選択スイッチ１０８が予め設定された長時間時間（例えば１．５秒以上の時間）操作されたことを検出すると、＃４０２に戻る。
【００５１】
＃４１１にて検出手段１０９が、記憶モード選択スイッチ１０８が予め設定された短い時間（例えば１．５秒より短い時間）操作されたことを検出したとする。この場合、メモリ１１１−１に＃４１０で検出したフォーカスレンズユニットＦＬＵの現在位置を記憶する（＃３０２で記憶した位置を上書きする）（＃４１２）。そして、記憶モードが複数記憶モードから単一記憶モードに戻る（＃４１３）。
【００５２】
＃４１１にて検出手段１０９が、記憶モード選択スイッチ１０８がオフの状態を検出した場合、言い換えれば、記憶モード選択スイッチ１０８が操作されている状態を検出できない場合は、＃４１１から＃４０７へ戻る。
【００５３】
（本実施例によって得られる効果）
上記のように本実施例においては、複数記憶モードにおいて操作手段１１０の状態に応じて複数のプリセット位置を記憶することができる。
【００５４】
より詳細には、レンズ装置（光学機器）１００が、メモリ（記憶手段）１１１がフォーカスレンズユニット（光学素子）ＦＬＵの状態を記憶する記憶モードになっている。そして、操作手段１１０に対して第１の操作（例えば、操作手段１１０を第１の状態とする操作）が行われた場合には、メモリ１１１はフォーカスレンズユニットＦＬＵの第１の状態を記憶する。ここでいうフォーカスレンズユニットＦＬＵの第１の状態とは、第１の操作が行われた場合に、フォーカス位置検出手段１０５によって検出されるフォーカスレンズユニットＦＬＵの位置である。そして、操作手段１１０に対して第１の操作とは異なる第２の操作（例えば、操作手段１１０を第３の状態とする操作）が行われた場合には、メモリ１１１はフォーカスレンズユニットＦＬＵの第２の状態を記憶する。ここでいうフォーカスレンズユニットＦＬＵの第２の状態とは、第２の操作が行われた場合に、フォーカス位置検出手段１０５によって検出されるフォーカスレンズユニットＦＬＵの位置である。
【００５５】
そして、メモリ１１１がフォーカスレンズユニットＦＬＵの第１の状態を記憶した後であって操作手段１１０に対して第１の操作が行われた場合に、フォーカス駆動手段１０２はフォーカスレンズユニットＦＬＵの状態を第１の状態とする。さらに、メモリ１１１がフォーカスレンズユニットＦＬＵの第２の状態を記憶した後であって操作手段１１０に対して第２の操作が行われた場合に、フォーカス駆動手段１０２はフォーカスレンズユニットＦＬＵの状態を第２の状態とする。
【００５６】
このように、本実施例によれば、従来よりも簡易な構成で互いに異なる２つのプリセット位置を記憶することが可能な光学機器を提供することができる。これは、前述のように、操作手段１１０に対して行われる操作の種類によって、その操作に対応したプリセット位置を記憶することができるためである。つまり、本実施例で示すレンズ装置１００は、記憶したいプリセット位置の数と同じ数の操作手段を用意することなく、１つの操作手段で複数のプリセット位置を記憶することが可能である。
【００５７】
［第２実施例］
本実施例における複数記憶モードについて図４に示すフローチャートを用いて説明する。単一記憶モードにおける制御は前述の第１実施例と同じである。
【００５８】
カメラ本体２００とレンズ装置１００が電気的に接続されカメラ本体２００の電源ＳＷ手段２０１がオンされた状態を初期状態とする。この初期状態において、メモリ１１１に含まれる第２メモリ１１１−２、第３メモリ１１１−３、第４メモリ１１１−４、第５メモリ１１１−５には、それぞれ所定の互いに異なるフォーカス位置が記憶されている。メモリ１１１−２〜１１１−５に記憶されるフォーカス位置は、例えば、次のように設定すればよい。フォーカスレンズユニットＦＬＵの移動可能な範囲を３等分する２つのフォーカス位置、至近側の移動端におけるフォーカス位置、無限遠側の移動端におけるフォーカス位置をメモリ１１１−２〜１１１−５に割り振って記憶させてもよい。
【００５９】
前述のように、検出手段１０９が所定時間以上ＯＮになっていると判断された場合には、単一記憶モードから複数記憶モードに遷移する。複数記憶モードに遷移すると、フォーカスレンズユニットＦＬＵの位置検出を行う（＃５０２）。次に不図示のタイマーにより所定時間（例えば２秒）が計測したかどうかを判定する（＃５０３）。次に所定時間が経過する前に操作手段１１０が操作され、操作検出手段１１４の検出結果に変化があったかどうかを判断する（＃５０４）。
【００６０】
所定時間経過しても、操作検出手段１１４の検出結果に変化がなかった場合、言い換えれば、所定時間内に操作手段１１０が操作されなかった場合には、複数記憶モードを解除し、図２に示すフローチャート中の「１」（＃３０９）に戻る（＃５１４）。所定時間以内であって、かつ、操作手段１１０が中立状態であることが操作検出手段１１４によって検出された場合、言い換えれば、所定時間以内であって、操作手段１１０が操作されていないことが検出された場合には、＃５０２に戻る。
【００６１】
所定時間以内に操作手段１１０が操作され、操作手段１１０が第１の状態であることを操作検出手段１１４が検出すると、メモリ１１１−２に現在のフォーカスレンズユニットＦＬＵの位置が記憶される（＃５１６）。所定時間以内に操作手段１１０が操作され、操作手段１１０が第２の状態であることを操作検出手段１１４が検出すると、メモリ１１１−３に現在のフォーカスレンズユニットＦＬＵの位置が記憶される（＃５１７）。所定時間以内に操作手段１１０が操作され、操作手段１１０が第３の状態であることを操作検出手段１１４が検出すると、メモリ１１１−４に現在のフォーカスレンズユニットＦＬＵの位置が記憶される（＃５１８）。所定時間以内に操作手段１１０が操作され、操作手段１１０が第４の状態であることを操作検出手段１１４が検出すると、メモリ１１１−５に現在のフォーカスレンズユニットＦＬＵの位置が記憶される（＃５１９）。
【００６２】
メモリ１１１−２〜１１１−５までのいずれかにフォーカス位置が記憶されると、状態通知手段１１５であるブザーが音を鳴らす、あるいは状態通知手段１１５であるＬＥＤは点滅状態を解除する。そして、一旦タイマーの計時を終了し、記憶の待機状態を解除する（＃５１５）。
【００６３】
次に、操作検出手段１１４の検出結果を確認する（＃５０７）。この結果、操作リング１１０が操作されて第１の状態になったことが検出されると、＃５１６でメモリ１１１−２に記憶した位置にフォーカスレンズユニットＦＬＵを移動させる（＃５２０）。あるいは、操作リング１１０が操作されて第２の状態になったことが検出されると、＃５１７でメモリ１１１−３に記憶した位置にフォーカスレンズユニットＦＬＵを移動させる（＃５２１）。あるいは、操作リング１１０が操作されて第３の状態になったことが検出されると、＃５１８でメモリ１１１−４に記憶した位置にフォーカスレンズユニットＦＬＵを移動させる（＃５２２）。あるいは、操作リング１１０が操作されて第４の状態になったことが検出されると、＃５１９でメモリ１１１−５に記憶した位置にフォーカスレンズユニットＦＬＵを移動させる（＃５２３）。このときの駆動速度は、第１、第２、第３、第４のいずれの状態においてもフォーカス駆動手段１０２で駆動可能な最高速度である。あるいは、例えば、予め設定された所定の駆動速度としてもよい。
【００６４】
＃５０７にて、操作検出手段１１４の検出結果を確認した結果、中立状態を示す信号が出力されたままの場合は、操作手段１１０の操作が行われていないことを示す。その場合は、フォーカスレンズユニットＦＬＵの位置検出を行い（＃５１０）、検出手段１０９の状態を確認する（＃５１１）。＃５１１にて検出手段１０９が、記憶モード選択スイッチ１０８が予め設定された長時間時間（例えば１．５秒以上の時間）操作されたことを検出すると、＃５０２に戻る。
【００６５】
＃５１１にて検出手段１０９が、記憶モード選択スイッチ１０８が予め設定された短い時間（例えば１．５秒より短い時間）操作されたことを検出したとする。この場合、メモリ１１１−１に＃５１０で検出したフォーカスレンズユニットＦＬＵの現在位置を記憶する（＃５０２で記憶した位置を上書きする）（＃５１２）。そして、記憶モードが複数記憶モードから単一記憶モードに戻る（＃５１３）。
【００６６】
＃５１１にて検出手段１０９が、記憶モード選択スイッチ１０８がオフの状態を検出した場合、言い換えれば、記憶モード選択スイッチ１０８が操作されている状態を検出できない場合は、＃５１１から＃５０７へ戻る。
【００６７】
（本実施例によって得られる効果）
以上説明したように、本実施例においては、前述の第１実施例よりも多い４つのフォーカス位置をフォーカスプリセット情報として記憶することができる。より詳細には、操作検出手段１１４が、操作手段１１０が操作される方向、時間、量、速度のうち第１の操作パラメータおよび第２の操作パラメータを検出することが可能である。そして、メモリ１１１はこの第１の操作パラメータ及び第２の操作パラメータを基にフォーカスレンズユニットＦＬＵの位置を３つ以上記憶することができる。本実施例において第１の操作パラメータは方向（時計回り、あるいは反時計回り）であり、第２の操作パラメータは量（多い、あるいは少ない）である。
【００６８】
したがって、本実施例によれば、前述の第１実施例よりも多くの撮影状況に対してフォーカスプリセットを行うことで対応することが可能な光学機器を提供することができる。
【００６９】
［変形例］
以上説明した各実施例は代表的な例にすぎず、本発明の実施に際しては、各実施例に対して種々の変形や変更が可能である。
【００７０】
例えば、前述の各実施例ではメモリ１１１に記憶させる情報をフォーカスレンズユニットＦＬＵの位置としたが、本発明はこのような構成に限定されるものではない。メモリ１１１に記憶させる情報を、例えば、ズームレンズユニットＺＬＵの位置、絞りユニット１０４の開口径あるいは位置、ＩＳＯ感度など撮影条件を変更するパラメータなどとしてもよい。このとき、レンズ装置１００あるいはカメラ本体２００にこれらの情報を検出する検出手段を設ければよい。また、このときの調整手段はズーム駆動手段１０３、絞り駆動手段６００などである。
【００７１】
また、前述の各実施例では記憶モード選択スイッチ１０８を、操作力を解除するとオフ状態に自動復帰するプッシュボタンとして構成し、オンになっている時間でモード選択をするものとした。しかしながら、本発明はこのような構成に限定されるものではない。例えば、記憶モード選択スイッチ１０８が所定時間内にオンになる回数に基づいて記憶モードを選択できるような構成などであってもよい。より詳細には、記憶モード選択スイッチ１０８がシングルクリックされた場合は単一記憶モードになり、ダブルクリックされたら複数記憶モードになる構成などであってもよい。
【００７２】
また、記憶モード選択スイッチ１０８をタッチセンサとし、このタッチセンサで指の移動軌跡を識別し、指の移動軌跡に基づいて記憶モードを選択できるようにしてもよい。さらに、タッチセンサで識別する指の移動軌跡に基づいて記憶モードから再生モードに遷移するようにしてもよい。ここでいう再生モードとは、記憶モードで記憶した位置にフォーカスレンズユニットＦＬＵを移動させるための復帰動作（再生動作）を行うことが可能なモードのことをいう。あるいは、復帰対象であるフォーカス位置（フォーカスプリセット位置）を記憶した後を再生モードとしてもよい。
【００７３】
また、前述の各実施例では操作手段１１０は外装部材に対してレンズ装置１００の光軸周り（回転軸周り）に回転可能なリング部材として構成されている。従って、正位置の構図での撮影時、縦位置の構図での撮影時にも同じ操作性を維持することができる。即時に操作リング１１０を操作したい場合にも対応が可能である。しかしながら、本発明はこのような構成に限定されるものではない。例えば、操作手段１１０を光軸方向に移動可能な操作手段としてもよい。
【００７４】
また、前述の各実施例ではカメラ本体２００を操作する撮影者から見て操作手段１１０を反時計回りに小さい角度で操作した場合を第１の状態、より大きい角度で操作した場合を第２の状態とした。そして、カメラ本体２００を操作する撮影者から見て操作手段１１０を時計回りに小さい角度で操作した場合を第３の状態、より大きい角度で操作した場合を第４の状態とした。
【００７５】
つまり、前述のように第１の操作パラメータを方向（時計回り、あるいは反時計回り）とし、第２の操作パラメータを量（多い、あるいは少ない）としていた。しかしながら、本発明はこのような構成に限定されるものではない。例えば、第１の操作パラメータを方向とし、第２の操作パラメータを速度としてもよい。この場合には、例えば、カメラ本体２００を操作する撮影者から見て操作手段１１０を反時計回りに遅い速度で操作した場合を第１の状態、より速い速度で操作した場合を第２の状態とすればよい。さらに、この場合には、カメラ本体２００を操作する撮影者から見て操作手段１１０を時計回りに遅い速度で操作した場合を第３の状態、より速い速度で操作した場合を第４の状態とすればよい。
【００７６】
さらに、例えば、前述のように光軸方向に移動可能な操作手段を用い、この操作手段を被写体側に小さい移動量で移動させた場合を第１の状態、より大きい移動量で移動させた場合を第２の状態としてもよい。さらに、この操作手段をカメラ本体２００側に小さい移動量で移動させた場合を第３の状態、より大きい移動量で移動させた場合を第４の状態としてもよい。
【００７７】
なお、操作手段１１０を光軸方向に移動可能でかつ光軸周りに回転可能な操作手段としてもよい。この場合には、前述の各実施例と比較してより多くの状態を検出可能となり、より多くのプリセット情報を記憶することができるようになる。また、操作手段１１０をレバー式の中点復帰スイッチとしてもよい。この場合には移動方向と移動量に応じて操作手段１１０の状態を判断し、その状態に応じてフォーカス位置を記憶する、あるいは、記憶位置への復帰動作を行ってもよい。
【００７８】
また、前述の各実施例においては交換レンズであるレンズ装置１００を光学機器とし、この光学機器におけるフォーカスプリセット機能について説明を行った。しかしながら、レンズ装置とカメラ本体が一体となったカメラシステムを光学機器とし、この光学機器に前述の各実施例におけるフォーカスプリセット機能を適用してもよい。
【００７９】
また、前述の各実施例における制御はレンズマイコン１１２によって行われるが、レンズマイコン１１２から受け取った情報を基にカメラマイコン２１０によって行われても良い。
【符号の説明】
【００８０】
１００  レンズ装置（光学機器）
１０２  フォーカス駆動手段（調整手段）
１０５  フォーカス位置検出手段（検出手段）
１１０  操作リング（操作手段）
１１１  メモリ（記憶手段）
ＦＬＵ  フォーカスレンズユニット（光学素子）
【図１】
2020003583.tif 000003
【図２】
2020003583.tif 000004
【図３】
2020003583.tif 000005
【図４】
2020003583.tif 000006
【図５】
2020003583.tif 000007
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
光学素子と、
前記光学素子の状態を調整するための調整手段と、
前記調整手段によって調整された前記光学素子の状態を検出するための検出手段と、
前記検出手段によって検出された前記光学素子の状態を記憶するための記憶手段と、
操作手段と、を備える光学機器であって、
前記光学機器が、前記記憶手段が前記光学素子の状態を記憶する記憶モードになっており、
前記操作手段に対して第１の操作が行われた場合に、前記記憶手段は、前記第１の操作が行われたときに前記検出手段によって検出される前記光学素子の第１の状態を記憶することが可能であり、
前記操作手段に対して前記第１の操作とは異なる第２の操作が行われた場合に、前記記憶手段は、前記第２の操作が行われたときに前記検出手段によって検出される前記光学素子の第２の状態を記憶することが可能であり、
前記記憶手段が前記第１の状態を記憶した後であって前記操作手段に対して前記第１の操作が行われた場合に、前記調整手段は、前記光学素子の状態を前記第１の状態とすることが可能であり、
前記記憶手段が前記第２の状態を記憶した後であって前記操作手段に対して前記第２の操作が行われた場合に、前記調整手段は、前記光学素子の状態を前記第２の状態とすることが可能である、
ことを特徴とする光学機器。
【請求項２】
前記記憶モードには、前記記憶手段が、前記光学素子の状態を１つのみ記憶する第１の記憶モードと、前記記憶手段が、前記光学素子の前記第１の状態及び前記第２の状態を記憶する第２の記憶モードがあり、
前記光学機器は、前記第１の記憶モードから前記第２の記憶モードのうちいずれかを選択するための選択手段をさらに備え、
前記選択手段によって前記第２の記憶モードが選択された場合であって、
前記操作手段に対して前記第１の操作が行われた場合に、前記記憶手段は、前記第１の操作が行われたときに前記検出手段によって検出される前記第１の状態を記憶することが可能であり、
前記操作手段に対して前記第２の操作が行われた場合に、前記記憶手段は、前記第２の操作が行われたときに前記検出手段によって検出される前記第２の状態を記憶することが可能であり、
前記記憶手段が前記第１の状態を記憶した後であって前記操作手段に対して前記第１の操作が行われた場合に、前記調整手段は、前記光学素子の状態を前記第１の状態とすることが可能であり、
前記記憶手段が前記第２の状態を記憶した後であって前記操作手段に対して前記第２の操作が行われた場合に、前記調整手段は、前記光学素子の状態を前記第２の状態とすることが可能である、
ことを特徴とする請求項１に記載の光学機器。
【請求項３】
前記選択手段は、操作力が与えられるとオン状態となり、前記操作力が解除されるとオフ状態となるスイッチである、
ことを特徴とする請求項２に記載の光学機器。
【請求項４】
前記オン状態になっている時間が所定の時間以上である場合に、前記光学機器は前記第１の記憶モード及び前記第２の記憶モードの一方から他方になる、
ことを特徴とする請求項３に記載の光学機器。
【請求項５】
前記操作手段は前記第１の操作あるいは前記第２の操作が完了すると、前記第１の操作あるいは前記第２の操作が行われる前の中立状態となることが可能である、
ことを特徴とする請求項１乃至４のいずれか一項に記載の光学機器。
【請求項６】
前記操作手段が操作される方向、時間、量、速度のうち少なくとも一つを検出するための操作検出手段をさらに備え、
前記第１の操作と前記第２の操作は、前記操作される方向、時間、量、速度のうち少なくとも一つが互いに異なる、
ことを特徴とする請求項１乃至５のいずれか一項に記載の光学機器。
【請求項７】
前記操作検出手段は、前記操作される方向、時間、量、速度のうち第１の操作パラメータ及び第２の操作パラメータを検出することが可能であり、
前記記憶手段は、前記操作検出手段が検出する前記第１の操作パラメータ及び前記第２の操作パラメータを基に前記光学素子の３つ以上の状態を記憶することが可能である、
ことを特徴とする請求項６に記載の光学機器。
【請求項８】
前記操作手段は、回転軸周りに互いに異なる第１の方向及び第２の方向に回転することが可能である、
ことを特徴とする請求項１乃至７のいずれか一項に記載の光学機器。
【請求項９】
前記光学素子を含む撮影光学系をさらに備え、
前記回転軸は前記撮影光学系の光軸であり、
前記操作手段は、前記光学機器の外装部材に対して前記光軸周りに回転可能な操作リングである、
ことを特徴とする請求項８に記載の光学機器。
【請求項１０】
前記光学素子はフォーカシングのために移動するフォーカスレンズユニットであり、
前記光学素子の状態は前記フォーカスレンズユニットの位置である、
ことを特徴とする請求項１乃至９のいずれか一項に記載の光学機器。
【請求項１１】
前記光学素子はズーミングのために移動するズームレンズユニットであり、
前記光学素子の状態は前記ズームレンズユニットの位置である、
ことを特徴とする請求項１乃至９のいずれか一項に記載の光学機器。
【請求項１２】
前記光学素子は光量調整のための絞りユニットであり、
前記光学素子の状態は前記絞りユニットの開口径および位置のうち少なくとも一方である、
ことを特徴とする請求項１乃至９のいずれか一項に記載の光学機器。
【請求項１３】
前記光学機器は、撮像素子を備えるカメラ本体に対して着脱可能なレンズ装置である、ことを特徴とする請求項１乃至１２のいずれか一項に記載の光学機器。
【請求項１４】
前記光学機器は、撮像素子を備えるカメラ本体と、前記カメラ本体に装着されたレンズ装置とを備えるカメラシステムである、
ことを特徴とする請求項１乃至１３のいずれか一項に記載の光学機器。
【請求項１５】
前記光学素子は前記撮像素子であり、
前記光学素子の状態はＩＳＯ感度である、
ことを特徴とする請求項１４に記載の光学機器。
【手続補正２】
【補正対象書類名】明細書
【補正対象項目名】００１７
【補正方法】変更
【補正の内容】
【００１７】
フォーカス位置検出手段１０５は、フォーカスレンズユニットＦＬＵの光軸上の位置を検出し、エンコーダや磁気センサなどを備える。例えば、フォーカス駆動手段１０２の出力キーを光軸周りに回転可能に構成し、グレーコードパターン上をブラシが走行するときに、出力キーの回転と同時にエンコーダから回転量に応じて発生されるパルスからフォーカスレンズ１５２の位置を検出することができる。
【手続補正３】
【補正対象書類名】明細書
【補正対象項目名】００３７
【補正方法】変更
【補正の内容】
【００３７】
（単一記憶モードにおける制御）
まず、図２に示すフローチャートを用いて単一記憶モードにおけるフォーカスプリセット機能の制御について説明する。図２に示すフローチャートはカメラ本体２００とレンズ装置１００が電気的に接続されカメラ本体２００の電源ＳＷ手段２０１がオンされた初期状態からの制御を示す。
【手続補正４】
【補正対象書類名】明細書
【補正対象項目名】００４４
【補正方法】変更
【補正の内容】
【００４４】
（複数記憶モードにおける制御）
次に複数記憶モードについて図３に示すフローチャートを用いて説明する。前述のように、検出手段１０９によって、記憶モード選択スイッチ１０８が所定時間以上ＯＮになっていると判断された場合には、単一記憶モードから複数記憶モードに遷移する（♯３０７）。図３に示すフローチャートはレンズ装置１００が複数記憶モードに移行した後の制御について示している。カメラ本体２００とレンズ装置１００が電気的に接続されカメラ本体２００の電源ＳＷ手段２０１がオンされた状態ではまず単一記憶モードになる。そして、単一記憶モードにおいては、メモリ１１１に含まれる第１メモリ１１１−１には、無限遠にピントが合うフォーカス位置が記憶される（＃３０２）。さらに、メモリ１１１に含まれる第２メモリ１１１−２には無限遠にピントが合うフォーカス位置が予め記憶され、メモリ１１１に含まれる第３メモリ１１１−３には至近にピントが合うフォーカス位置が予め記憶されている。なお、メモリ１１１−２及びメモリ１１１−３にはまずはフォーカス位置を記憶せず、複数記憶モードになったことが検出されたら、メモリ１１１−２及び１１１−３に上記の情報を記憶する構成を採用してもよい。また、メモリ１１１−２と１１１−３とで同じフォーカス位置が予め記憶されている構成を採用してもよい。